(57)【要約】本発明は、高圧飽和蒸気を発生させるための装置に関する。該装置は、水タンク、ポンプ、逆止弁、アトマイジングノズル、加熱室及び蒸気出口を含んでいる。ポンプは水タンクと逆止弁の間に連結され、逆止弁はアトマイジングノズルを経由して加熱室に連結している。蒸気出口を有する加熱室は、その中にアトマイジングノズルが伸張する中空である。その中空の室は、相互に連続して連結する多くの小さい室に分割されている。本装置は、素早く高温蒸気を製造でき、エネルギーを節約することができる。
2004521303.tif 000002
【特許請求の範囲】
【請求項１】
水タンク１、水ポンプ２、逆止弁３、アトマイジングノズル４、加熱室５及び蒸気出口６を含む、高圧飽和蒸気を発生させるための装置であって、水ポンプ２は水タンク１及び逆止弁３に連結しており、逆止弁３はアトマイジングノズル４に連結しており、アトマイジングノズル４は加熱室５に連結しており、加熱室５は１つの側面に蒸気出口６を有している該発生装置において、加熱室５は中空であり；前記加熱室の中には複数の加熱板８が取り付けられており；それら加熱板によって、前記加熱室は、複数の相互に連絡した一層小さい加熱空洞にさらに細分されており；アトマイジングノズル４が、前記中空の加熱室５の中の第１の加熱空洞Ｉに連結されているのに対して、該中空の加熱室５の中の最後の加熱空洞は、蒸気出口６に連結されている；ことを特徴とする、上記高圧飽和蒸気の発生装置。
【請求項２】
中空の加熱室５が、外部から断熱層７で覆われている、請求項１に記載の高圧飽和蒸気の発生装置。
【請求項３】
中空の加熱室５が球状の中空室である、請求項１に記載の高圧飽和蒸気の発生装置。
【請求項４】
加熱板８が円形本体を有し、該本体に、加熱棒を保持するための加熱板位置決め穴１１が備えられている、請求項１記載の高圧飽和蒸気の発生装置。
【発明の詳細な説明】
【技術分野】
【０００１】
本発明は、高圧飽和蒸気を発生させるための装置に関する。
【背景技術】
【０００２】
蒸気の用途は非常に広く、工業的用途、農業的用途、家庭用品用途から医療用途にまで及ぶ。蒸気を発生させるための従来の方法は、水を沸点まで加熱することである。廃熱を利用する工業的ボイラー、家庭用ボイラー、又は熱電ボイラーは、それらボイラーの蒸気発生方法が異なっていることがある。しかし、その原理は同じである。即ち、熱伝導体を経由して熱を水に伝達するために、熱は、自然対流によって、沸点に到達し、蒸気が発生する。そのような方法は、多大の時間を必要とし、高価な天然資源を使用するものの、蒸気が必要でないとき、沸騰水は冷却し、エネルギーは無駄遣いされる。中国特許第００２２８２５１.８号明細書には、高圧飽和蒸気を発生させるための装置が記述されている。この装置は、モータ、水タンク、圧力計、蒸気出口、蒸気室、圧力ポンプ又は歯車ポンプ、アトマイジングノズル、及び加熱室を備えており、それらは全て相互に連結されている。該水タンク中の水は、モータによって駆動される歯車ポンプ又は圧力ポンプを経由し、アトマイジングノズルまで押し出される。そして、該ノズルの頭部は、噴霧化したミストを生成する。このミストは、加熱室で加熱された後、直ちに高圧飽和蒸気になる。この蒸気は次いで、加熱室に連絡している蒸気室に移される。圧力ポンプ又は歯車ポンプからの圧力と熱との複合効果によって、連続的噴霧によって発生した、蒸気室内の蒸気は、圧力要件を満たす高圧飽和蒸気になり、そのために、その蒸気は、遮断弁を備えた蒸気出口を通して、該蒸気を用いる装置まで送り出すことができる。前記装置は既に、発生時間が長く、資源の消費が大きく、エネルギーが浪費され、且つ、コストが高いという欠点及び課題に取り組まれてきたが、発生した蒸気は、比較的低い圧力及び温度である。その蒸気が、高圧を達成するように圧縮されるとき、その蒸気は、低温であるため、液化される傾向がある。このことは、該蒸気を利用するとき、役に立たない。
【発明の開示】
【発明が解決しようとする課題】
【０００３】
本発明の目的は、時間及びエネルギーの節約、より低いランニングコスト、および一層高い蒸気温度と蒸気圧力とを提供することができるという諸利点を有する、高圧の飽和蒸気を発生するための装置を提供することである。
【課題を解決するための手段】
【０００４】
上記目的を達成するために、本発明によって採用される技術的提案は次の通りである。前記の、高圧飽和蒸気を発生させるための装置は、水タンク、水ポンプ、逆止弁、アトマイジングノズル、加熱室及び蒸気出口を含んでいる。ポンプは水タンク及び逆止弁に連結しており、逆止弁はアトマイジングノズルに連結しているアトマイジングノズルに続き、蒸気出口を有する加熱室は、中空であり、複数の加熱板が取り付けられている。それら加熱板によって、前記加熱室は、複数の相互に連絡した一層小さい空洞に細分されている。アトマイジングノズルは、前記中空の加熱室の中の第１の加熱空洞に連結されているのに対して、該中空の加熱室の中の最後の加熱空洞は、蒸気出口に連結されている。
【発明の効果】
【０００５】
この装置は、当該技術水準と比べて、次の諸利点と諸利益とを有する。
（１）水タンクからの水は、アトマイジングノズルによって噴霧され、加熱室で加熱された後、直ちに蒸気に変わる。それによって、蒸気を生成するために多量の水を加熱することが回避される。これによって、時間とエネルギーとが節約される。
（２）蒸気が供給される装置又は設備が蒸気を必要としないときはいつでも、電力供給のスイッチを切ることができ、噴霧化は直ちに停止される。従って、加熱室も、加熱及び蒸気発生のプロセスを停止し、それによって、多大のエネルギーが節約される。
（３）加熱板は、加熱室を、相互連絡されている多くの小さな加熱空洞に細分している。蒸気は複数の加熱空洞を通って流れるので、湾曲した蒸気の流れが形成される。従って、蒸気は十分に加熱され、高温で発生する。それによって、蒸気の液化が防止される。
【発明を実施するための最良の形態】
【０００６】
【実施例１】
【０００７】
図１、２、３及び４に示すように、高圧飽和蒸気を発生させる前記装置は、水タンク１、水ポンプ２、逆止弁３、アトマイジングノズル４、加熱室５及び蒸気出口６を備えている。それらは次のように相互に連絡している。水ポンプ２は水タンク１及び逆止弁３に連結しており、逆止弁３はアトマイジングノズル４に連結している。蒸気出口６を有している加熱室５は、アトマイジングノズル４に連結し、外部の断熱層７で覆われた、球状の中空室５である。球状の中空室５には、複数の加熱板が取り付けられている。これら加熱板によって、前記中空室は、５個の、相互に連絡したより小さい加熱空洞に細分されている。アトマイジングノズル４が、前記球状の中空室５の中の第１の加熱空洞Ｉに連結されて、加熱板８の不可欠なパートになっているのに対して、該加熱室の中の最後の加熱空洞Ｖは、蒸気出口６に連結されている。最後の加熱室、即ち、第５の加熱空洞Ｖには、熱センサ及び温度計が取り付けられる。
【０００８】
加熱板の構造は、図２に示す。他方、加熱板の本体の構造は、図５、６及び７に示す。加熱板の本体９は円盤状板である。該加熱板には、加熱棒を保持するための加熱板位置決め穴１１が備えられている。該加熱板の外周付近には複数のネジ穴１０が均一に配分され、頂部半球と底部半球を連結し固定する。
【０００９】
上記装置の作動プロセスは次の通りである。図１及び図２における矢印は、加熱室における蒸気の流れ方向を示す。水タンク１からの水は、水ポンプ２によって、逆止弁３を経由して、アトマイジングノズル４に供給され、次いで、アトマイジングノズル４によって噴霧化された後、球状の中空室５の第１の加熱空洞Ｉの中に注入される。アトマイジングノズル４は加熱板８によって加熱されるので、該アトマイジングノズルからの水のミストは比較的高い温度に到達する。従って、水のミストが、第１の加熱空洞Ｉの中で更に加熱された後、超高温で飽和蒸気に変わるのは、一層容易である。図２の矢印は、加熱室における蒸気の流れ方向を示す。蒸気は次いで、加熱空洞Ｉの縁部に配置される複数の円筒状の穴１２を経由して、第２の加熱空洞IIに流れる。その蒸気は、加熱空洞IIで更に加熱された後、第２の加熱空洞と第３の加熱空洞との間の管１３を経由して、第３の加熱空洞IIIに流れる。その蒸気は、第３の加熱空洞IIIで更に加熱された後、第４の加熱空洞IVに流れる。その蒸気は、加熱空洞IVで更に加熱された後、第５の加熱空洞Ｖに入り、そして、出口６で流出する。出口１６には、圧力計及び自動開閉器を取り付けることができる。
【実施例２】
【００１０】
図８は、球状室における細分された加熱空洞の、別の構造図である。他の細部は全て、実施例１と同一である。
【図面の簡単な説明】
【００１１】
（添付図面の説明）
【図１】本発明による装置の相互連結を表す。
【図２】本発明による装置の構造を表す。
【図３】図２のＣ−Ｃ断面である。
【図４】図２のＤ−Ｄ断面である。
【図５】加熱板の本体の構造である。
【図６】図５のＬ−Ｌ断面である。
【図７】図５のＡ−Ａ断面である。
【図８】本装置の加熱室の、別の構造である。
【国際公開パンフレット】
2004521303.tif 000003
2004521303.tif 000004
2004521303.tif 000005
2004521303.tif 000006
2004521303.tif 000007
2004521303.tif 000008
2004521303.tif 000009
2004521303.tif 000010
2004521303.tif 000011
2004521303.tif 000012
2004521303.tif 000013
【国際調査報告】
2004521303.tif 000014
2004521303.tif 000015
2004521303.tif 000016
2004521303.tif 000017